(57)【要約】【課題】有底円筒状に絞り成形されるとともに側壁には吸入孔が設けられる薄板製のプランジャが、該プランジャを軸方向に往復駆動する駆動手段に一端閉塞部を当接せしめるとともに他端側をポンプ室に臨ませてポンプハウジングに摺動可能に嵌合され、前記プランジャの他端開口部に設けられる弁座に前記ポンプ室側から着座可能な弁体が、前記弁座に着座する側にばね付勢されるプランジャポンプにおいて、プランジャの成形加工を容易とする。【解決手段】弁座２５が、絞り成形時に軸直角に切断されたままのプランジャ２の他端切断面で円形に形成される。【選択図】        図１
2006274996.tif 000002
【特許請求の範囲】
【請求項１】
有底円筒状に絞り成形されるとともに側壁には吸入孔（２０）が設けられる薄板製のプランジャ（２）が、該プランジャ（２）を軸方向に往復駆動する駆動手段（６）に一端閉塞部を当接せしめるとともに他端側をポンプ室（２１）に臨ませてポンプハウジング（１）に摺動可能に嵌合され、前記プランジャ（２）の他端開口部に設けられる弁座（２５）に前記ポンプ室（２１）側から着座可能な弁体（２６）が、前記弁座（２５）に着座する側にばね付勢されるプランジャポンプにおいて、前記弁座（２５）が、絞り成形時に軸直角に切断されたままの前記プランジャ（２）の他端切断面で円形に形成されることを特徴とするプランジャポンプ。
【請求項２】
固定のボディ（７，７′）に嵌合、固定される前記ポンプハウジング（１）が、薄板の絞り成形により円筒状に形成されることを特徴とする請求項１記載のプランジャポンプ。
【発明の詳細な説明】
【技術分野】
【０００１】
本発明は、有底円筒状に絞り成形されるとともに側壁には吸入孔が設けられる薄板製のプランジャが、該プランジャを軸方向に往復駆動する駆動手段に一端閉塞部を当接せしめるとともに他端側をポンプ室に臨ませてポンプハウジングに摺動可能に嵌合され、前記プランジャの他端開口部に設けられる弁座に前記ポンプ室側から着座可能な弁体が、前記弁座に着座する側にばね付勢されるプランジャポンプに関する。
【背景技術】
【０００２】
このようなプランジャポンプは、たとえば特許文献１で既に知られている。
【特許文献１】特表２００２−５１４７１２号公報
【発明の開示】
【発明が解決しようとする課題】
【０００３】
ところが、上記特許文献１で開示されたプランジャポンプでは、プランジャの他端部を折り曲げてテーパ状の弁座を形成するようにしており、プランジャの加工が難しくなり、加工工程も多くなる。
【０００４】
本発明は、かかる事情に鑑みてなされたものであり、プランジャの成形加工を容易としたプランジャポンプを提供することを目的とする。
【課題を解決するための手段】
【０００５】
上記目的を達成するために、請求項１記載の発明は、有底円筒状に絞り成形されるとともに側壁には吸入孔が設けられる薄板製のプランジャが、該プランジャを軸方向に往復駆動する駆動手段に一端閉塞部を当接せしめるとともに他端側をポンプ室に臨ませてポンプハウジングに摺動可能に嵌合され、前記プランジャの他端開口部に設けられる弁座に前記ポンプ室側から着座可能な弁体が、前記弁座に着座する側にばね付勢されるプランジャポンプにおいて、前記弁座が、絞り成形時に軸直角に切断されたままの前記プランジャの他端切断面で円形に形成されることを特徴とする。
【０００６】
また請求項２記載の発明は、請求項１記載の発明の構成に加えて、固定のボディに嵌合、固定される前記ポンプハウジングが、薄板の絞り成形により円筒状に形成されることを特徴とする。
【発明の効果】
【０００７】
請求項１記載の発明によれば、絞り成形以外の加工を施すことなくプランジャの他端に弁座を形成することができ、プランジャの成形加工が容易となる。
【０００８】
また請求項２記載の発明によれば、ポンプハウジングも絞り成形で形成するようにして生産性を高めることができる。
【発明を実施するための最良の形態】
【０００９】
以下、本発明の実施の形態を、添付の図面に示した本発明の実施例に基づいて説明する。
【００１０】
本発明の第１実施例について図１を参照しながら説明すると、このプランジャポンプは、たとえば車両用アンチロックブレーキ制御装置や車両用トラクション制御装置等の自動ブレーキ制御装置に用いられるものであり、ポンプハウジング１、該ポンプハウジング１に摺動可能に嵌合されるプランジャ２、該プランジャ２を軸方向に駆動する駆動手段６、プランジャ２を駆動手段６側にばね付勢する戻しばね３、吸入弁４および吐出弁５を有し、車両に搭載されるボディ７に設けられる。
【００１１】
駆動手段６は、ボディ７に取付けられる電動モータ（図示せず）と、該電動モータで回転駆動される回転軸８に設けられるカム９とで構成されるものであり、ボディ７にはカム９を有する回転軸８を収容、配置するための円形の収納孔１０が設けられる。
【００１２】
ボディ７には、収納孔１０に一端を開口するとともに他端をボディ７の外面に開口する装着孔１１が、収納孔１０の軸線と直交するように設けられており、この装着孔１１は、収納孔１０側から順に、一端を収納孔１０の内面に開口する円形の第１孔部１１ａと、駆動手段６とは反対側に臨む環状の第１段部１１ｂを第１孔部１１ａとの間に形成して第１孔部１１ａの他端に一端が連なるとともに第１孔部１１ａよりも大径に形成される円形の第２孔部１１ｃと、駆動手段６とは反対側に臨む環状の第２段部１１ｄを第２孔部１１ｃとの間に形成して第２孔部１１ｃの他端に一端が連なるとともに第２孔部１１ｃよりも大径に形成される円形の第３孔部１１ｅと、駆動手段６とは反対側に向かうにつれて小径となるようにして第３孔部１１ｅの他端に一端大径部が連なるテーパ孔部１１ｆと、該テーパ孔部１１ｆの他端小径部に一端を連ならせて第２孔部１１ｃよりも大径に形成される円形の第４孔部１１ｇと、駆動手段６とは反対側に臨む環状の第３段部１１ｈを第４孔部１１ｇとの間に形成して第４孔部１１ｇの他端に一端が連なるとともに第４孔部１１ｇよりも大径に形成される円形の第５孔部１１ｉと、駆動手段６とは反対側に臨む環状の第４段部１１ｊを第５孔部１１ｉとの間に形成して第５孔部１１ｉの他端に一端が連なるとともに第５孔部１１ｉよりも大径に形成される円形の第６孔部１１ｋと、第６孔部１１ｋよりも大径のねじ孔部１１ｍとが同軸に連なって成り、ねじ孔部１１ｍの他端がボディ７の外面に開口される。
【００１３】
ポンプハウジング１は、一端部を第２孔部１１ｃに嵌合せしめる小径円筒部１ａと、第４孔部１１ｇに嵌合される大径円筒部１ｂとを一体に有し、薄板の絞り成形により段付き円筒状に形成される。しかもポンプハウジング１の一端すなわち小径円筒部１ａの一端には、プランジャ２を囲繞するようにして半径方向内方に張り出す内向き鍔部１ｃが一体に形成される。
【００１４】
一方、プランジャ２は、駆動手段６のカム９に当接される横断面円弧状の当接部２ａを一端閉塞部に形成して段付きの有底円筒状に絞り成形される薄板製のものであり、前記当接部２ａの外周に一端を連ならせるとともに装着孔１１の第１孔部１１ａに摺動可能に嵌合されて第１孔部１１ａを貫通する小径摺動筒部２ｂと、駆動手段６とは反対側に向かうにつれて大径となるようにテーパ状に形成されて小径摺動筒部２ｂの他端に一端小径部が連なる第１テーパ筒部２ｃと、第１テーパ筒部２ｃの他端大径部に一端が連なる中間筒部２ｄと、駆動手段６とは反対側に向かうにつれて大径となるようにテーパ状に形成されて中間筒部２ｄの他端に一端小径部が連なる第２テーパ筒部２ｅと、第２テーパ筒部２ｅの他端に一端を連ならせるとともにポンプハウジング１の小径円筒部１ａに摺動可能に嵌合される第２摺動筒部２ｆと、第２摺動筒部２ｆの他端から半径方向内方に張り出す内向き鍔部２ｇと、内向き鍔部２ｇの内周に一端を連ならせて駆動手段６とは反対側に延びる弁孔形成筒部２ｈとを一体に備える。
【００１５】
ポンプハウジング１の他端部は、有底円筒状に形成されるシート部材１２に嵌合、当接されるものであり、該シート部材１２には、装着孔１１のねじ孔部１１ｍに螺合されるプラグ１３が当接され、第６孔部１１ｋの内面に弾発的に接触するＯリング３９がプラグ１３の外周に装着される。而してポンプハウジング１の一端の内向き鍔部１ｃと、装着孔１１の第１段部１１ｂとの間には、プランジャ２の第１摺動筒部２ｂを同軸に囲繞するバックアップリング１４と、前記第１摺動筒部２ｂの外面に弾発的に接触するシールリング１５とが第１段部１１ｂ側から順に挟持されており、プラグ１３は、シート部材１２を第４段部１１ｊの内周縁部に食い込ませつつ第３段部１１ｈに当接するまでボディ７にねじ込まれる。
【００１６】
装着孔１１における第２孔部１１ｃおよび第３孔部１１ｇ間でボディ７とポンプハウジング１との間には環状の第１吸入室１６が形成され、ボディ７には、図示しないリザーバからの作動液を第１吸入室１６に導く吸入路１７が設けられる。またプランジャ２の小径摺動部２ｂの前記シールリング１５によるシール部ならびにポンプハウジング１の小径円筒部１ａへの大径摺動部２ｆの嵌合部間で、ポンプハウジング１およびプランジャ２間には環状の第２吸入室１８が形成されており、ポンプハウジング１における小径円筒部１ａの側壁には第１および第２吸入室１６，１８を常時連通させる複数の連通孔１９…が設けられる。さらにプランジャ２における中間筒部２ｄの側壁には、第２吸入室１８の作動液をプランジャ２内に吸入するための複数の吸入孔２０…が設けられる。
【００１７】
前記シート部材１２およびプランジャ２の他端部間には、プランジャ２の他端部を臨ませるポンプ室２１が形成されており、吸入弁４はポンプ室２１内に臨んでプランジャ２の他端側に装着される。
【００１８】
吸入弁４は、ポンプ室２１に通じる弁室２２を形成してプランジャ２の他端側に装着されるリテーナ２３と、プランジャ２の他端側に同軸に設けられる弁孔２４と、該弁孔２４を中央部に開口させてプランジャ２の他端に設けられる弁座２５と、該弁座２５に着座することを可能として弁室２２に収納される球状の弁体２６と、弁座２５に着座させる側に前記弁体２６を付勢するようにしてリテーナ２３および弁体２６間に設けられる弁ばね２７とで構成される。
【００１９】
リテーナ２３は、プランジャ２の内向き鍔部２ｇに当接するようにして半径方向外方に張り出す鍔部２３ａを開口端部に一体に有して略有底円筒状に形成されるものであり、プランジャ２における弁孔形成筒部２ｈがリテーナ２３の開口端部に嵌合され、戻しばね３がシート部材１２および前記鍔部２３ａ間に縮設されることにより、リテーナ２３はプランジャ２の他端部に実質的に固定される。またリテーナ２３には、弁室２２をポンプ室２１に通じさせるスリット状の複数の連通孔２８…が設けられる。
【００２０】
弁孔２４は、プランジャ２内に通じるようにしてプランジャ２の弁孔形成筒部２ｈによって形成されるものであり、弁座２５は、絞り成形時に軸直角に切断されたままのプランジャ２の他端切断面すなわち弁孔形成筒部２ｈの他端切断面で円形に形成される。
【００２１】
このような吸入弁４は、プランジャ２がポンプ室２１の容積を増大させる側に摺動するのに応じてポンプ室２１が減圧されることにより開弁し、プランジャ２内の作動液が弁孔２４および弁室２２を経てポンプ室２１に吸入される。またプランジャ２がポンプ室２１の容積を減少させる側に摺動するのに応じてポンプ室２１が増圧されることにより吸入弁４は閉弁する。
【００２２】
吐出弁５は、ポンプ室２１に通じてシート部材１２の中央部に同軸に設けられる弁孔３０と、シート部材１２およびプラグ１３間に形成される弁室３１に臨んで前記シート部材１２に設けられるとともに前記弁孔３０を中央部に開口させたテーパ状の弁座３２と、該弁座３２に着座することを可能として弁室３１に収納される球状の弁体３３と、弁座３２に着座させる側に前記弁体３３を付勢するようにしてプラグ１３および弁体３３間に設けられる弁ばね３４とで構成される。
【００２３】
ところでシート部材１２およびプラグ１３と、ボディ７との間にはシート部材１２を囲繞する環状の吐出室３５が形成されており、プラグ１３のシート部材１２への当接部には弁室３１を吐出室３５に通じさせる複数の連通溝３６…が設けられ、ボディ７には吐出室３５に通じる吐出路３７が設けられる。
【００２４】
このような吐出弁５は、プランジャ２がポンプ室２１の容積を減少させる側に摺動するのに応じてポンプ室２１が増圧されることにより開弁し、ポンプ室２１からの作動液が弁孔３２、弁室３１および連通溝３６…を介して吐出室３５に吐出される。またプランジャ２がポンプ室２１の容積を増大させる側に摺動するのに応じてポンプ室２１が減圧されることにより吐出弁５は閉弁する。
【００２５】
次にこの第１実施例の作用について説明すると、有底円筒状に絞り成形される薄板製のプランジャ２は、該プランジャ２を軸方向に往復駆動する駆動手段６に一端閉塞部を当接せしめるとともに他端側をポンプ室２１に臨ませてポンプハウジング１に摺動可能に嵌合され、プランジャ２の他端開口部に設けられる弁座２５にポンプ室２１側から着座可能な弁体２６が、プランジャ２の他端部に装着されるリテーナ２３内に収容されるとともに弁座２５に着座する側にばね付勢されるのであるが、弁座２５は、絞り成形時に軸直角に切断されたままのプランジャ２の他端切断面、この実施例では弁孔形成筒部２ｈの他端切断面で円形に形成されている。
【００２６】
したがって絞り成形以外の加工を施すことなくプランジャ２の他端に弁座２５を形成することができ、プランジャ２の成形加工が容易となる。
【００２７】
またボディ７に嵌合、固定されるポンプハウジング１が、薄板の絞り成形により円筒状に形成されているので、ポンプハウジング１も絞り成形で形成するようにして生産性を高めることができる。
【００２８】
図２は本発明の第２実施例を示すものであり、上記第１実施例に対応する部分には同一の参照符号を付して図示するのみとし、詳細な説明は省略する。
【００２９】
ボディ７′には、収納孔１０に一端を開口するとともに他端をボディ７′の外面に開口する装着孔１１′が、収納孔１０の軸線と直交するように設けられており、この装着孔１１′の外端部は、第５孔部１１ｉの他端に一端が連なるとともに第５孔部１１ｉよりも大径に形成される円形の第６孔部１１ｋ′から成り、この第６孔部１１ｋ′の外端はボディ７′の外面に開口する。
【００３０】
またシート部材１２には、装着孔１１の第６孔部１１ｋ′に嵌合されるプラグ１３′が当接されるものであり、このプラグ１３′の外端周縁部には、ボディ７′の一部をかしめることで形成されるかしめ部４０が全周にわたって係合され、これにより、プラグ１３′のボディ７′への固定ならびに装着孔１１′の第６孔部１１ｋ′の内面との間のシールがなされることになる。
【００３１】
この第２実施例によっても上記第１実施例と同様の効果を奏することができる。
【００３２】
以上、本発明の実施例を説明したが、本発明は上記実施例に限定されるものではなく、特許請求の範囲に記載された本発明を逸脱することなく種々の設計変更を行うことが可能である。
【図面の簡単な説明】
【００３３】
【図１】第１実施例のプランジャポンプの縦断面図である。
【図２】第２実施例のプランジャポンプの縦断面図である。
【符号の説明】
【００３４】
１・・・ポンプハウジング
２・・・プランジャ
６・・・駆動手段
７，７′・・・ボディ
２０・・・吸入孔
２１・・・ポンプ室
２５・・・弁座
２６・・・弁体
【図１】
2006274996.tif 000003
【図２】
2006274996.tif 000004